(57)【要約】      （修正有）【課題】キャンバス上の絵画、マット上に加工された版画、写真などの作品の種類によって変わるサイズや厚みに係りなく、留め具を使って簡便に作品を固定し飾れる額縁を提供する。【解決手段】展示パネル１にＬ字形の溝２を設け、その溝２の裏側から作品３の上部と側部を留めて保持する留め具５で成る額縁であって、該留め具５は、作品を押止するＬ字状の押え部と横一文字状のパネル係り部で一体形成され、作品３を保持し同時に展示パネル１に係止出来る。Ｌ字形の溝２の範囲内は何処でも作品３のサイズや厚みに係らず、留め具５で作品３を固定することが出来る。【選択図】図１
0003141431.tif 000002
【実用新案登録請求の範囲】
【請求項１】
キャンバス上の絵画、マット上に加工された版画、写真などの作品（３）を鑑賞する為の展示パネル（１）と作品を止める留め具（５）とから成り、展示パネル（１）はＬ字形の溝（２）を設け、留め具（５）は展示パネル（１）のＬ字形の溝（２）の裏側から作品（３）の上部と側部を押止するＬ字状の押え部（５ａ）と横一文字状のパネル係り部（５ｂ）で一体形成して、構成したことを特徴とする額縁。
【請求項２】
展示パネル（１）と作品（３）を止めるＴ型留め具（６）とから成り、展示パネル（１）は平盤状で、Ｔ型留め具（６）は作品の上部を押止するＬ字状の押え部（６ａ）と横一文字状部分（６ｂ）で一体形成して、その裏面にＴ字形に両面テープかマグネットテープを貼るか、または画鋲やピンで展示パネル（１）に固定して作品（３）を適宜固定することを特徴とする額縁。
【請求項３】
角型留め具（７）は角型状で、その裏面に両面テープかマグネットテープを貼るか、または画鋲やピンで展示パネル（１）に固定して作品（３）のコーナー部分を押止し適宜固定することを特徴とする請求項２に記載の額縁。
【請求項４】
透明な表カバー（８）は前記展示パネル（１）の縦の寸法より１割程度長くしてあり、丸カン付き蝶番（９）で展示パネル（１）の上部で固定される。表カバー（８）を展示パネル（１）に合わせると、展示パネル（１）の底面（４）に置いてある作品（３）が底辺より１割程度高い位置に展示してあるように外観上視認され、作品位置のバランスをとる効果があり、該表カバー（８）を取り付けて構成したことを特徴とする前記請求項１〜３のいずれか１項に記載の額縁。
【考案の詳細な説明】
【技術分野】
【０００１】  本考案は、キャンバス上の絵画などの種々のサイズの作品を、パネル上に簡便に固定し飾ることが出来る額縁に関するものである。
【背景技術】
【０００２】  従来、額縁は枠内に作品を保護する為の透明板を置き、その上に作品を載せ、裏板で押さえる構造である。また、一点の作品を恒久的に飾るために使用されることが多く、作品を入れ替えたりすることは稀である。
【考案の開示】
【考案が解決しようとする課題】
【０００３】  上記の額縁に他の作品を展示して飾ろうとしても、同一のサイズのものにしか使えない、また同一の厚みのものにしか使えないという欠点があった。そこで本考案は、作品の種類によるサイズと厚みで変わる上部、側部の固定箇所に任意に対応して、パネル上に簡便に作品を固定し飾れる額縁を提供することを課題とする。
【課題を解決するための手段】
【０００４】  本考案は上記課題を解決するために以下のような技術的手段を講じたものである。すなわち請求項１の考案では、展示パネル（１）にＬ字形の溝（２）を設け、該展示パネル（１）の底面（４）に作品（３）を置いたときに、該展示パネル（１）のＬ字形の溝（２）の裏側から作品の上部と側部を留めて固定し保持する留め具（５）で成る額縁であって、該留め具（５）を、作品を押止するＬ字状の押え部（５ａ）と横一文字状のパネル係り部（５ｂ）で一体形成して、構成したことを特徴としている。【０００５】  押え部の幅は作品（３）と展示パネル（１）の厚みの合計したものに若干の余裕を持たせてあり、作品（３）を保持し同時に展示パネル（１）に係止出来るようになっている。【０００６】Ｌ字形の溝（２）の範囲内は何処でも、作品（３）のサイズや厚みに係らず、展示パネル（１）の裏側から留め具（５）で作品の上部と側部を押止することが出来る。【０００７】  請求項２の考案では、展示パネル（１）と作品（３）を止めるＴ型留め具（６）とから成り、展示パネル（１）は平盤状で、Ｔ型留め具（６）は作品の上部を押止するＬ字状の押え部（６ａ）と横一文字状部分（６ｂ）で一体形成して、その裏面にＴ字形に両面テープかマグネットテープを貼るか、または画鋲やピンで展示パネル（１）に固定して作品（３）を適宜固定できることを特徴としている。【０００８】  請求項３の考案では、留め具は角型留め具で、その裏面に両面テープかマグネットテープを貼るか、または画鋲やピンで展示パネル（１）に固定して作品（３）のコーナー部分を押止し適宜固定することを特徴としている。【０００９】  請求項４の考案では、透明な表カバー（８）は前記展示パネル（１）の縦の寸法より１割程度長くしてあり、丸カン付き蝶番（９）で展示パネル（１）の上部で固定されるようになり、表カバー（８）を展示パネル（１）に合わせると、展示パネル（１）の底面（４）に置いてある作品（３）が底辺より１割程度高い位置に展示してあるように外観上視認され、作品位置のバランスをとる効果があり、該表カバー（８）を取り付けて構成したことを特徴としている。
【考案の効果】
【００１０】  本考案の額縁はキャンバス上の絵画、マット上に加工された版画、写真などの作品を鑑賞する為のもので、上述のような形状、組み合わせで成っており、作品の種類によって変わるサイズや厚みに係りなく最適な固定箇所に任意に対応でき、留め具を使って簡便に作品の底面、上部、または側部を固定保持し展示することが出来る効果を奏する。【００１１】  本考案の額縁は展示ケースとしても使用できる額縁である。また、本考案に係る留め具は着脱自在に、何処でも両面テープ、マグネットテープ、画鋲やピンで固定され、作品の保持固定が出来る利便性がある。
【考案を実施するための最良の形態】
【００１２】  以下本考案の実施形態について説明する。
図１に基づいて第１実施例について説明する。展示パネル（１）にＬ字形の溝（２）を設け、該展示パネル（１）の底面（４）に作品（３）を置いたときに、該展示パネル（１）のＬ字形の溝（２）の裏側から作品（３）の上部と側部を留めて固定し保持する留め具（５）で成る額縁であって、該留め具（５）は、作品（３）を押止するＬ字状の押え部（５ａ）と横一文字状のパネル係り部（５ｂ）で一体形成され、押え部の幅は作品（３）と展示パネル（１）の厚みの合計したものに若干の余裕を持たせてあり、作品（３）を保持し同時に展示パネル（１）に係止出来るようになっている。Ｌ字形の溝（２）の範囲内は何処でも展示パネル（１）の裏側から留め具（５）の作品押さえ部で作品（３）の上部と側部を押止することが出来る。【００１３】  作品押さえ部の幅は油絵キャンバス用とマットや色紙用の２種類あり、夫々安全に作品（３）を保持できる。展示パネル（１）と留め具（５）の素材は、ＡＢＳ樹脂、ポリプロピレンなどが軽量化できて、壁に掛けた時、壁への負担が少なくて済むので好ましい。
展示パネル（１）の大きさは、縦４３０ミリ、横５００ミリが基準になる、キャンバスの８号サイズまでの全サイズが展示可能になり、デッサンの四ツ切、ポスターのＡ３、色紙などが適宜展示可能になる。【００１４】  図３に基づいて第２実施例を説明する。展示パネル（１）と作品を止めるＴ型留め具（６）とから成り、展示パネル（１）は平盤状で、Ｔ型留め具（６）は作品の上部を押止するＬ字状の押え部（６ａ）と横一文字状部分（６ｂ）で一体形成して、その裏面にＴ字形に両面テープかマグネットテープを貼るか、または画鋲やピンで展示パネル（１）に固定して作品（３）を保持固定できる。作品押さえ部の幅は油絵キャンバス用とマットや色紙用の２種類あり、夫々安全に作品を保持できる。展示パネル（１）と留め具の素材は、ＡＢＳ樹脂、ポリプロピレンなどが軽量化できて、壁への負担が少なくて済むので好ましい。【００１５】  次に第３実施例を説明する。図３の第２実施例と形態は同じであるが、留め具は図６の角型留め具（７）で、その裏面に両面テープかマグネットテープを貼るか、または画鋲やピンで展示パネル（１）に固定して作品（３）のコーナー部分を押止し適宜固定することができる。作品押さえ部の幅は油絵キャンバス用とマットや色紙用の２種類あり、夫々安全に作品（３）を保持できる。【００１６】  本考案に係る留め具（５）、Ｔ型留め具（６）、角型留め具（７）は着脱自在に何処でも両面テープ、マグネットテープ、画鋲やピンで固定され、作品の四方を保持固定が出来る利便性がある。【００１７】  図７に基づいて第４実施例を説明する。透明な表カバー（８）は前記展示パネル（１）の縦の寸法より１割程度長くしてあり、丸カン付き蝶番（９）で展示パネル（１）の上部で固定されるようになる。表カバー（８）を展示パネル（１）に合わせると、展示パネル（１）の底面（４）に置いてある作品（３）が底辺より１割程度高い位置に展示してあるように外観上視認され、作品位置のバランスをとる効果がある。素材は透明なポリカーボネートかＰＥＴが好ましい。該表カバーを閉じた時に、展示パネルの上部と底辺部で嵌め合わせるようにして、機密性が保たれ、空気中の塵や埃から作品を保護する。【００１８】  前記丸カン付き蝶番（９）は、蝶番と丸カンの組み合わせで成り、該丸カンは蝶番の中軸の芯棒に固定されていて、展示パネル（１）と表カバー（８）を取り付けると同時に壁のフックに掛けられる様になっている。
【図面の簡単な説明】
【００１９】
【図１】本考案の額縁の第１実施例を示す斜視図である。
【図２】図１の裏面側から見た留め具（５）の取り付け状態を示す部分図である。
【図３】本考案の額縁の第２実施例を示す斜視図である。
【図４】本考案に係る留め具（５）の斜視図である。
【図５】Ｔ型留め具（６）の斜視図である。
【図６】角型留め具（７）の斜視図である。
【図７】表カバーの斜視図である。
【符号の説明】
【００２０】１  展示パネル
２  Ｌ字形の溝
３  作品
４  展示パネルの底面
５  留め具
６  Ｔ型留め具
７  角型留め具
８  表カバー
９  丸カン付き蝶番
【図１】
0003141431.tif 000003
【図２】
0003141431.tif 000004
【図３】
0003141431.tif 000005
【図４】
0003141431.tif 000006
【図５】
0003141431.tif 000007
【図６】
0003141431.tif 000008
【図７】
0003141431.tif 000009
【手続補正書】
【提出日】平成20年2月14日(2008.2.14)
【手続補正１】
【補正対象書類名】実用新案登録請求の範囲
【補正対象項目名】請求項４
【補正方法】変更
【補正の内容】
【請求項４】
前記展示パネル（１）の縦の寸法より１割程度長くした透明な表カバー（８）を、丸カン付き蝶番（９）で展示パネル（１）の上部に固定し、透明な表カバー（８）を展示パネル（１）に合わせると、展示パネル（１）の底面（４）に置いてある作品（３）が底辺より１割程度高い位置に展示してあるように外観上視認され、作品位置のバランスをとる効果がある前記請求項１〜３のいずれか１項に記載の額縁。